(57)【要約】      （修正有）【課題】広角化に対応でき、明るいＦナンバーを確保し、さらに諸収差が良好に補正されたズームレンズおよびそのズームレンズを搭載した、レンズユニット並びに撮像装置を提供する。【解決手段】正の屈折力を有する第１レンズ群Gr1と、負の屈折力を有する第２レンズ群Gr2と、絞りを含む正の屈折力を有する第３レンズ群Gr3と、正の屈折力を有する第４レンズ群Gr4と、第５レンズ群Gr5とから構成されたズームレンズで以下の条件式を満たすことを特徴とする。−１．５０＜ｆ２／ｆｗ＜−１．００（１）、３．３０＜ｆ４／ｆｗ＜４．３０（２）、０．３＜｜β４Ｔ／β４Ｗ｜＜１．０（３）、但し、ｆ２：前記第２レンズ群の焦点距離（ｍｍ）ｆ４：前記第４レンズ群の焦点距離（ｍｍ）ｆｗ：広角端での全系の合成焦点距離（ｍｍ）β４Ｗ：前記第４レンズ群の広角端における横倍率β４Ｔ：前記第４レンズ群の望遠端における横倍率。【選択図】図３
2015111185.tif 000002
【特許請求の範囲】
【請求項１】
物体側より順に配置された、変倍時に移動しない正の屈折力を有する第１レンズ群と、変倍時に光軸に沿って移動する負の屈折力を有する第２レンズ群と、絞りを含み変倍時に移動しない正の屈折力を有する第３レンズ群と、変倍時に光軸に沿って移動する正の屈折力を有する第４レンズ群と、変倍時に移動しない第５レンズ群とから構成されたズームレンズにおいて
前記第１レンズ群は光軸を屈曲させるための反射部材を有し、
前記第４レンズ群は物体側から順に、負の屈折力を有する第４１レンズと、正の屈折力を有する第４２レンズで構成され、
前記第５レンズ群は物体側から順に、負の屈折力を有する第５１レンズ、正の屈折力を有する第５２レンズ、第５３レンズで構成され、以下の条件式を満足することを特徴とするズームレンズ。
−１．５０  ＜  ｆ２／ｆｗ  ＜  −１．００        （１）
３．３０  ＜  ｆ４／ｆｗ  ＜  ４．３０            （２）
０．３    ＜  ｜β４Ｔ／β４Ｗ｜  ＜  １．０      （３）
但し、
ｆ２：前記第２レンズ群の焦点距離（ｍｍ）
ｆ４：前記第４レンズ群の焦点距離（ｍｍ）
ｆｗ：広角端での全系の合成焦点距離（ｍｍ）
β４Ｗ：前記第４レンズ群の広角端における横倍率
β４Ｔ：前記第４レンズ群の望遠端における横倍率
【請求項２】
前記第１レンズ群は物体側から順に、負の屈折力を有する第１１レンズ、前記反射部材、正の屈折力を有する第１２レンズで構成されることを特徴とする請求項１に記載のズームレンズ。
【請求項３】
以下の条件式を満足することを特徴とする請求項１又は２に記載のズームレンズ。
５  ＜  ｄL1PR/(２Ｙ/ｆｗ)  ＜８      （４）
但し、
ｄL1PR：前記第１レンズの物体側の頂点から前記反射部材の最も像側の部位までの距離（ｍｍ）
２Ｙ：前記ズームレンズにより画像を形成される固体撮像素子の撮像面対角長（ｍｍ）
【請求項４】
以下の条件式を満足することを特徴とする請求項１から３のいずれか１項に記載のズームレンズ。
１．０  ＜  ｆ１／(ｆｗ×Ｆnow)  ＜  １．５      （５）
ｆ１：前記第１レンズ群の焦点距離（ｍｍ）
Ｆnow：広角端でのＦナンバー
【請求項５】
以下の条件式を満足することを特徴とする請求項１から４のいずれか１項に記載のズームレンズ。
２．０    ＜  ｜β２Ｔ／β２Ｗ｜  ＜  ３．０      （６）
β２Ｗ：前記第２レンズ群の広角端の横倍率
β２Ｔ：前記第２レンズ群の望遠端の横倍率
【請求項６】
前記第５レンズ群の前記第５２レンズは、光軸と垂直な方向に変位させることで像面上の画像のブレを補正する像ブレ補正レンズであり、以下の条件式を満足することを特徴とする請求項１から５のいずれか１項に記載のズームレンズ。
０．３  ＜  （１−β５２Ｔ）×β５３Ｔ  ＜０．９      （７）
但し、
β５２Ｔ：前記第５レンズ群の第５２レンズの望遠端における横倍率
β５３Ｔ：前記第５レンズ群の第５３レンズの望遠端における横倍率
【請求項７】
前記第５レンズ群の前記第５３レンズは、プラスチックで形成されていることを特徴とする請求項１から６のいずれか１項に記載のズームレンズ。
【請求項８】
以下の条件式を満足することを特徴とする請求項１から７のいずれか１項に記載のズームレンズ。
０．３  ＜  ｜ｆｐ／ｆｔ｜      （８）
ｆｐ：前記第５３レンズの焦点距離（ｍｍ）
ｆt：望遠端での全系の合成焦点距離（ｍｍ）
【請求項９】
以下の条件式を満足することを特徴とする請求項１から８のいずれか１項に記載のズームレンズ。
１．０  ＜  ｄ２ｗｔ／ｄ４ｗｔ  ＜１．７      （９）
ｄ２ｗｔ：変倍に際して前記第２レンズ群が広角端から望遠端まで移動する距離(ｍｍ)
ｄ４ｗｔ：変倍に際して前記第４レンズ群が広角端から望遠端まで移動する距離（ｍｍ）
【請求項１０】
前記第３レンズ群の物体側に絞りを配置することを特徴とする請求項１から９のいずれか１項に記載のズームレンズ。
【請求項１１】
前記第４レンズ群における前記第４１レンズと前記第４２レンズとは接合レンズであることを特徴とする請求項１から１０のいずれか１項に記載のズームレンズ。
【請求項１２】
前記第４レンズ群を光軸に沿って移動させることにより、フォーカシングを行うことを特徴とする請求項１から１１のいずれか１項に記載のズームレンズ。
【請求項１３】
前記ズームレンズは、実質的に屈折力を有しないレンズを有することを特徴とする請求項１から１２のいずれか１項に記載のズームレンズ。
【請求項１４】
請求項１から１３のいずれか１項に記載のズームレンズを、前記ズームレンズを保持する鏡胴に組み付けたことを特徴とするレンズユニット。
【請求項１５】
請求項１から１３のいずれか１項に記載のズームレンズと、前記ズームレンズを保持する鏡胴と、該ズームレンズにより形成された画像を光電変換する固体撮像素子を搭載したことを特徴とする撮像装置。
【発明の詳細な説明】
【技術分野】
【０００１】
本発明はズームレンズ、レンズユニット及び撮像装置に関するものであり、例えば被写体の静止画や動画を撮像素子で取りこむためのオプティカルユニット等に用いられ、特に高変倍率を有するとともに像ブレ補正機能を有し、小型化・薄型化・広角化可能なズームレンズ、及び該ズームレンズを備えたレンズユニット並びに撮像装置に関するものである
【背景技術】
【０００２】
従来より、カメラの厚み寸法を小さくできる光学系として、ズームレンズ中の最も物体側のレンズ群である第１レンズ群にプリズム等の反射部材を用いて光軸を折り曲げる（屈曲させる）屈曲光学系が広く用いられている。このような屈曲光学系をカメラに搭載することで、使用時にカメラ本体よりレンズが繰り出さずに済むため、カメラの防水性、耐衝撃性を向上させることが可能となる。
【０００３】
一方、撮像装置の薄型化のニーズに加え、最近では、ズームレンズの高変倍化や広角化、大口径化のニーズがある。このような撮像装置へのニーズに対応した光学系が、以下の特許公報に開示されている(例えば、特許文献１，２参照)。
【先行技術文献】
【特許文献】
【０００４】
【特許文献１】特開２０１１−７０２２０号公報
【特許文献２】特開２０１１−１４１３２８号公報
【発明の概要】
【発明が解決しようとする課題】
【０００５】
しかるに、特許文献１に記載されたズームレンズは、４群構成と簡素ではあるが、焦点距離の広角化が図られていないという問題がある。また、特許文献２に記載されたズームレンズは５群構成で焦点距離の広角化が図られているが、広角端Ｆナンバーが大きい(暗い)という問題があり、焦点距離の広角化や明るさを同時に満たしていない。
【０００６】
本発明は、上述した問題に鑑み、広角化に対応でき、明るいＦナンバーを確保し、さらに諸収差が良好に補正されたズームレンズおよびそのズームレンズを搭載したレンズユニット並びに撮像装置を提供することを目的とする。
【課題を解決するための手段】
【０００７】
請求項１に記載のズームレンズは、物体側より順に配置された、変倍時に移動しない正の屈折力を有する第１レンズ群と、変倍時に光軸に沿って移動する負の屈折力を有する第２レンズ群と、絞りを含み変倍時に移動しない正の屈折力を有する第３レンズ群と、変倍時に光軸に沿って移動する正の屈折力を有する第４レンズ群と、変倍時に移動しない第５レンズ群とから構成されたズームレンズにおいて
前記第１レンズ群は光軸を屈曲させるための反射部材を有し、
前記第４レンズ群は物体側から順に、負の屈折力を有する第４１レンズと、正の屈折力を有する第４２レンズで構成され、
前記第５レンズ群は物体側から順に負の屈折力を有する第５１レンズ、正の屈折力を有する第５２レンズ、第５３レンズで構成され、以下の条件式を満足することを特徴とする。
−１．５０  ＜  ｆ２／ｆｗ  ＜  −１．００        （１）
３．３０  ＜  ｆ４／ｆｗ  ＜  ４．３０            （２）
０．３    ＜  ｜β４Ｔ／β４Ｗ｜  ＜  １．０      （３）
但し、
ｆ２：前記第２レンズ群の焦点距離（ｍｍ）
ｆ４：前記第４レンズ群の焦点距離（ｍｍ）
ｆｗ：広角端での全系の合成焦点距離（ｍｍ）
β４Ｗ：前記第４レンズ群の広角端における横倍率
β４Ｔ：前記第４レンズ群の望遠端における横倍率
【０００８】
本発明の基本構成は、物体側から順に、正の屈折力を有する第１レンズ群と、負の屈折力を有する第２レンズ群と、正の屈折力を有する第３レンズ群と、正の屈折力を有する第４レンズ群と、第５レンズ群からなる。
【０００９】
そして、前記第１レンズ群、前記第３レンズ群、前記第５レンズ群は変倍もしくは合焦時に光軸方向に移動しない構成となる。前記第１レンズ群を固定することで、撮影時に最も物体側のレンズが飛び出さないので、撮影の対象者に圧迫感を与える恐れを回避できる。また、撮像装置を誤って落下させたときなど、最も物体側のレンズが飛び出していない構成であれば、落下の衝撃による影響も少なくて済むので好ましい。更に、前記第３レンズ群を固定することで、前記第３レンズ群が可変絞り機構を有する場合でも、構造が複雑化せず容易な機構となる。又、前記第５レンズ群を固定することによって、前記第５レンズ群の最も像側のレンズと固体撮像素子との間の空間を封止することができるようになり、撮像素子へのゴミや埃の進入を防ぐことができる。
【００１０】
また、前記第２レンズ群、前記第４レンズ群は変倍時若しくは合焦時に、光軸に沿って移動する構成となっており、広角端から望遠端に至る変倍動作時に、前記第２レンズ群を像側方向に変位させ、且つ前記第４レンズ群を物体側方向に移動させることにより、２つのレンズ群に変倍機能を分担できるので、単一レンズ群のみで変倍を行うよりも群パワーや変倍移動量を抑え、コンパクト性と良好な光学性能を両立することができる。
【００１１】
前記第１レンズ群は、光軸を屈曲させる（折り曲げる）ための反射部材を有しており、これによって入射光軸方向の大きさが小さくなるので、撮像装置の奥行き方向の大きさ（厚み）を小さくすることが出来る。
【００１２】
前記第４レンズ群は、物体側より順に負の屈折力を有するレンズ(第４１レンズ)、正の屈折力を有するレンズ(第４２レンズ)で構成されており、これによって非点収差を良好に補正して高い光学性能を確保することができる。
【００１３】
前記第５レンズ群は、物体側から負の屈折力を有するレンズ(第５１レンズ)、正の屈折力を有するレンズ(第５２レンズ)、レンズ(第５３レンズ)とで構成されており、負の屈折力を有するレンズと正の屈折力を有するレンズの組み合わせとなり、これにより倍率色収差等の各収差の発生を抑えることができる。なお、前記第５レンズ群は正の屈折力を持っていても、負の屈折力を持っていても良く、また前記第５３レンズは正の屈折力を持っていても、負の屈折力を持っていても、屈折力を持っていなくても良い。
【００１４】
条件式（１）は、前記第２レンズ群の屈折力と、レンズ全系における広角端の焦点距離を規定した式である。条件式（１）の値が上限を下回ると、ペッツバール和が負の方向に補正過剰となることを抑制でき、条件式（１）の値が下限を上回ると、変倍に寄与する前記第２レンズ群の移動量が大きくなりすぎず、レンズユニットのコンパクト化が可能になる。なお、以下の条件式を満足することがより好ましい。
−１．４０  ＜  ｆ２／ｆｗ  ＜  −１．００        （１）’
【００１５】
条件式（２）は、前記第４レンズ群の屈折力と、レンズ全系における広角端の焦点距離を規定する式である。条件式(２)の値が下限値を上回ると、前記第４レンズ群の屈折力が弱くなりすぎず、変倍に必要な移動量を確保しても光学系を小型化できる。また、条件式(２)の値が上限値を下回ると、前記第４レンズ群の屈折力が強くなりすぎず、ここで発生する収差が大きくなり過ぎたり、前記第４レンズ群における製造誤差による光学性能変化が大きくなり過ぎたりすることを有効に抑制できる。なお、以下の条件式を満足することがより好ましい。
３．４０  ＜  ｆ４／ｆｗ  ＜  ４．００            （２）’
【００１６】
条件式（３）は、前記第４レンズ群の望遠端における横倍率と、広角端における横倍率を規定したものである。条件式（３）の値が上限を下回ると、像面湾曲の変動量が大きくなりすぎないため、他のレンズ群（この場合は、前記第４レンズ群以外のレンズ群）で補正することが容易になる。逆に条件式（３）の値が下限を上回ると、高いズーム比を得ることが容易となる。条件式（２）、（３）を満たすことで、条件式（１）の効果がより高まるといえる。なお、以下の条件式を満足することがより好ましい。
０．３    ＜  ｜β４Ｔ／β４Ｗ｜  ＜  ０．９      （３）’
【００１７】
請求項２に記載のズームレンズは、請求項１に記載の発明において、前記第１レンズ群は物体側から順に、負の屈折力を有する第１１レンズ、前記反射部材、正の屈折力を有する第１２レンズで構成されることを特徴とする。
【００１８】
前記第１レンズ群は、物体側から負の屈折力を有するレンズ(第１１レンズ)、光路を折り曲げる（屈曲させる）ための光学素子（反射部材）、正の屈折力を有するレンズ(第１２レンズ)とで構成されているため、光路を折り曲げるための前記反射部材に入射する光線高を低く抑えることができ、前記反射部材を小さくすることができるとともに、特に負の屈折力を有するレンズ・正の屈折力を有するレンズの並びで物体側から配置されているため、広角端におけるコマ収差の補正を良好に行うことができる。
【００１９】
請求項３に記載のズームレンズは、請求項１又は２に記載の発明において、以下の条件式を満足することを特徴とする。
５  ＜  ｄL1PR/(２Ｙ/ｆｗ)  ＜８      （４）
但し、
ｄL1PR：前記第１レンズの物体側の頂点から前記反射部材の最も像側の部位までの距離（ｍｍ）
２Ｙ：前記ズームレンズにより画像を形成される固体撮像素子の撮像面対角長（ｍｍ）
【００２０】
条件式（４）は、前記第１レンズ群において、前記反射部材より物体側に位置するレンズの物体側面から前記反射部材の像側面までの距離と、前記固体撮像素子の撮像面対角長と、広角端におけるレンズ全系の焦点距離との関係を規定したものである。具体的には、条件式(４)の値が下限を上回ると、広角端の画角に対して、前記反射部材より物体側に位置するレンズの物体側面から前記反射部材の像側面までの距離が小さくなり過ぎることを抑制できるので、広角端の前記第１レンズ群の有効径を小さくするために軸外収差補正が容易になり、良好な光学性能を保つことができる。一方、条件式(４)の値が上限を下回ると、撮像装置の厚み寸法が大きくなり過ぎることを抑制でき、コンパクト性を確保できる。なお、以下の条件式を満足することがより好ましい。
６  ＜  ｄL1PR/(２Ｙ/ｆｗ)  ＜７      （４）’
【００２１】
請求項４に記載のズームレンズは、請求項１〜３のいずれかに記載の発明において、以下の条件式を満足することを特徴とする。
１．０  ＜  ｆ１／(ｆｗ×Ｆnow)  ＜  １．５      （５）
ｆ１：前記第１レンズ群の焦点距離（ｍｍ）
Ｆnow：広角端でのＦナンバー
【００２２】
条件式（５）は、前記第１レンズ群の焦点距離と、広角端におけるレンズ全系の焦点距離と、広角端におけるＦナンバーとの関係を規定したものである。具体的には、条件式(５)の値が下限を上回ると、広角端におけるレンズ全系の屈折力に対し、前記第１レンズ群の屈折力が弱くなりすぎず、広角端での収差を抑えることができ、良好な光学性能を確保できる。条件式(５)の値が上限を下回ると、広角端におけるレンズ全系の屈折力に対し、前記第１レンズ群の屈折力が強くなりすぎず、撮像装置の厚み寸法が大きくなり過ぎることを抑制でき、コンパクト性を確保できる。なお、以下の条件式を満足することがより好ましい。
１．１  ＜  ｆ１／(ｆｗ×Ｆnow)  ＜  １．４      （５）’
【００２３】
請求項５に記載のズームレンズは、請求項１〜４のいずれかに記載の発明において、以下の条件式を満足することを特徴とする。
２．０    ＜  ｜β２Ｔ／β２Ｗ｜  ＜  ３．０      （６）
β２Ｗ：前記第２レンズ群の広角端の横倍率
β２Ｔ：前記第２レンズ群の望遠端の横倍率
【００２４】
条件式（６）は、全系の広角端と全系の望遠端の第２レンズ群の横倍率の比を規定したものである。条件式（６）の値が上限を下回ると、高ズーム化を確保しつつ収差補正を可能にする。一方、条件式（６）の値が下限を上回ると、高いズーム比を得ることが可能となる。なお、以下の条件式を満足することがより好ましい。
２．２    ＜  ｜β２Ｔ／β２Ｗ｜  ＜  ２．７      （６）’
【００２５】
請求項６に記載のズームレンズは、請求項１〜５のいずれかに記載の発明において、前記第５レンズ群の前記第５２レンズは、光軸と垂直な方向に変位させることで像面上の画像のブレを補正する像ブレ補正レンズであり、以下の条件式を満足することを特徴とする。
０．３  ＜  （１−β５２Ｔ）×β５３Ｔ  ＜０．９      （７）
但し、
β５２Ｔ：前記第５レンズ群の第５２レンズの望遠端における横倍率
β５３Ｔ：前記第５レンズ群の第５３レンズの望遠端における横倍率
【００２６】
前記第５レンズ群の正の屈折力を有するレンズ(第５２レンズ)を、光軸と垂直な方向にシフトさせることで像ブレを補正することが可能である。変倍や合焦時に光軸方向に移動しない前記第５レンズ群の第５２レンズを光軸に垂直な方向に移動させることで、手振れ補正の駆動機構と他の駆動機構との干渉をなくすことができるので、より一層小型化することができる。さらに前記第５２レンズは正の屈折力を有するレンズなので、倍率色収差を抑制できるため高い光学性能を確保することができる。
【００２７】
条件式（７）は、手振れ補正時にシフトする前記第５レンズ群の正の屈折力を有するレンズ(第５２レンズ)の単位移動量に対して、像がどれだけシフトするかという割合を規定する条件式である。具体的には、条件式（７）の値が下限を上回ると、ある所定量だけ像をシフトさせるために必要なレンズシフト量が大きくなり過ぎず、必要なスペースが大きくなり過ぎることを抑制できる。条件式（７）の値が上限を下回ると、ある所定量だけ像をシフトさせるために必要なレンズシフト量が小さくなり過ぎず、駆動装置の制御に高い精度を要求されないため撮像装置のコストを抑えることができる。なお、以下の条件式を満足することがより好ましい。
０．３  ＜  （１−β５２Ｔ）×β５３Ｔ  ＜０．８      （７）’
【００２８】
請求項７に記載のズームレンズは、請求項１〜６のいずれかに記載の発明において、前記第５レンズ群の前記第５３レンズは、プラスチックで形成されていることを特徴とする。
【００２９】
前記第５レンズ群の前記第５３レンズはプラスチックレンズで形成されているので、これによって前記第５３レンズに非球面形状を付加することが容易となるため、種々の収差補正を行って高い光学性能を確保することができる。さらに、ガラスに比べてプラスチックは安価・軽量であるため、コストダウンや軽量化にも寄与する。
【００３０】
請求項８に記載のズームレンズは、請求項１〜７のいずれかに記載の発明において、以下の条件式を満足することを特徴とする。
０．３  ＜  ｜ｆｐ／ｆｔ｜      （８）
ｆｐ：前記第５３レンズの焦点距離（ｍｍ）
ｆt：望遠端での全系の合成焦点距離（ｍｍ）
【００３１】
条件式（８）は、前記第５３レンズと全系の望遠端の焦点距離の比を規定する条件式である。具体的には、条件式（８）の値が下限を上回ると、レンズのパワーが強くなり過ぎず、プラスチックの温度変化による屈折率の変化の影響が大きくなり過ぎず、ピントずれや光学性能の劣化を抑制できる。なお、以下の条件式を満足することがより好ましい。
０．３  ＜  ｜ｆｐ／ｆｔ｜  ＜  １０      （８）’
【００３２】
条件式（８）’の上限を下回ると、レンズのパワーが弱くなり過ぎず、撮像光学系全体の寸法が大きくなり過ぎることを抑制でき、コンパクト性を確保できる。
【００３３】
請求項９に記載のズームレンズは、請求項１〜８のいずれかに記載の発明において、以下の条件式を満足することを特徴とする。
１．０  ＜  ｄ２ｗｔ／ｄ４ｗｔ  ＜１．７      （９）
ｄ２ｗｔ：変倍に際して前記第２レンズ群が広角端から望遠端まで移動する距離(ｍｍ)
ｄ４ｗｔ：変倍に際して前記第４レンズ群が広角端から望遠端まで移動する距離（ｍｍ）
【００３４】
条件式（９）は、変倍時に移動する前記第２レンズ群と前記第４レンズ群の移動量の比を規定する条件式である。具体的には、条件式（９）の値が下限を上回ると、前記第４レンズ群の移動量に比べて前記第２レンズ群の移動量が少なくなり過ぎず、前記第２レンズ群での変倍効果が小さくなり過ぎず、その分の変倍効果を第４レンズ群に持たせても、前記第４レンズ群以降の有効径が増大し過ぎないため撮像装置の薄型化を確保できる。また、前記第２レンズ群での変倍効果を確保しても前記第２レンズ群のパワーが強くなり過ぎず、光学性能の確保が容易になり、誤差感度が大きくなり過ぎることがない。一方、条件式（９）の値が上限を下回ると、前記第４レンズ群の移動量に比べて前記第２レンズ群の移動量が多くなり過ぎず、前記絞りから前記第１レンズ群の最も物体側にあるレンズまでの距離が大きくなり過ぎず、前記第１レンズの有効径が大きくなることを抑制できる。
【００３５】
請求項１０に記載のズームレンズは、請求項１〜９のいずれかに記載の発明において、前記第３レンズ群の物体側に絞りを配置することを特徴とする。
【００３６】
前記絞りを、前記ズームレンズのほぼ中央部にある前記第３レンズ群のレンズよりも物体側に設けることによって、軸外収差をバランスよく補正出来たり、前玉径（前記絞りより物体側に配置されている各レンズ径）・後玉径（前記絞りより像側に配置されている各レンズ径）に大きな差が生じ難くなるため、撮像装置の厚み方向におけるレンズユニット形状を平坦にし易くなり、撮像装置のレイアウトの自由度が向上するなどの利点がある。
【００３７】
請求項１１に記載のズームレンズは、請求項１〜１０のいずれかに記載の発明において、前記第４レンズ群における前記第４１レンズと前記第４２レンズとは接合レンズであることを特徴とする。
【００３８】
前記第４１レンズと前記第４２レンズとを接合することにより、群要素を１つに抑えることができ、第４レンズ群の全てのレンズを単レンズ化したときよりも生産管理のし易いズームレンズとすることが可能となる。また、撮像光学系全体としての距離を短くできる。なお、接合レンズとしない場合には、接合レンズとした場合に比べ、光学面の自由度が増えるために収差をより良好に補正することが可能となる。
【００３９】
請求項１２に記載のズームレンズは、請求項１〜１１のいずれかに記載の発明において、前記第４レンズ群を光軸に沿って移動させることにより、フォーカシングを行うことを特徴とする。
【００４０】
前記第４レンズ群でフォーカシングを行うことにより、繰り出しによる光学全長の増加や前玉径の増大を招くことなく、近距離物体まで適切な合焦を行い鮮明な画像を得ることが出来る。
【００４１】
請求項１３に記載のズームレンズは、請求項１〜１２のいずれかに記載の発明において、前記ズームレンズは、実質的に屈折力を有しないレンズを有することを特徴とする。
【００４２】
請求項１４に記載のレンズユニットは、請求項１から１３のいずれか１項に記載のズームレンズを、前記ズームレンズを保持する鏡胴に組み付けたことを特徴とする。
【００４３】
請求項１から１０までのいずれかに記載のズームレンズを備えることにより、より薄型で、撮影画質の良好な撮像装置を得ることができるようになる。
【００４４】
請求項１５に記載の撮像装置は、請求項１から１３のいずれか１項に記載のズームレンズと、前記ズームレンズを保持する鏡胴と、該ズームレンズにより形成された画像を光電変換する固体撮像素子を搭載したことを特徴とする。
【発明の効果】
【００４５】
本発明によれば、広角化に対応でき、明るいＦナンバーを確保し、さらに諸収差が良好に補正されたズームレンズおよびそのズームレンズを搭載した、レンズユニット並びに撮像装置を提供することができる。
【図面の簡単な説明】
【００４６】
【図１】本実施の形態の撮像装置１０の正面側斜視図である。
【図２】本実施の形態の撮像装置１０の背面側斜視図である。
【図３】（ａ）は、実施例１にかかるズームレンズの広角端の断面図であり、（ｂ）は、実施例１にかかるズームレンズの中間の断面図であり、（ｃ）は、実施例１にかかるズームレンズの望遠端の断面図である。
【図４】（ａ）は、実施例１にかかるズームレンズの広角端における球面収差、非点収差、及び歪曲収差の収差図であり、（ｂ）は、実施例１にかかるズームレンズの中間における球面収差、非点収差、及び歪曲収差の収差図であり、（ｃ）は、実施例１にかかるズームレンズの望遠端における球面収差、非点収差、及び歪曲収差の収差図である。
【図５】（ａ）は、実施例２にかかるズームレンズの広角端の断面図であり、（ｂ）は、実施例２にかかるズームレンズの中間の断面図であり、（ｃ）は、実施例２にかかるズームレンズの望遠端の断面図である。
【図６】（ａ）は、実施例２にかかるズームレンズの広角端における球面収差、非点収差、及び歪曲収差の収差図であり、（ｂ）は、実施例２にかかるズームレンズの中間における球面収差、非点収差、及び歪曲収差の収差図であり、（ｃ）は、実施例２にかかるズームレンズの望遠端における球面収差、非点収差、及び歪曲収差の収差図である。
【図７】（ａ）は、実施例３にかかるズームレンズの広角端の断面図であり、（ｂ）は、実施例３にかかるズームレンズの中間の断面図であり、（ｃ）は、実施例３にかかるズームレンズの望遠端の断面図である。
【図８】（ａ）は、実施例３にかかるズームレンズの広角端における球面収差、非点収差、及び歪曲収差の収差図であり、（ｂ）は、実施例３にかかるズームレンズの中間における球面収差、非点収差、及び歪曲収差の収差図であり、（ｃ）は、実施例３にかかるズームレンズの望遠端における球面収差、非点収差、及び歪曲収差の収差図である。
【図９】（ａ）は、実施例４にかかるズームレンズの広角端の断面図であり、（ｂ）は、実施例４にかかるズームレンズの中間の断面図であり、（ｃ）は、実施例４にかかるズームレンズの望遠端の断面図である。
【図１０】（ａ）は、実施例４にかかるズームレンズの広角端における球面収差、非点収差、及び歪曲収差の収差図であり、（ｂ）は、実施例４にかかるズームレンズの中間における球面収差、非点収差、及び歪曲収差の収差図であり、（ｃ）は、実施例４にかかるズームレンズの望遠端における球面収差、非点収差、及び歪曲収差の収差図である。
【図１１】（ａ）は、実施例５にかかるズームレンズの広角端の断面図であり、（ｂ）は、実施例５にかかるズームレンズの中間の断面図であり、（ｃ）は、実施例５にかかるズームレンズの望遠端の断面図である。
【図１２】（ａ）は、実施例５にかかるズームレンズの広角端における球面収差、非点収差、及び歪曲収差の収差図であり、（ｂ）は、実施例５にかかるズームレンズの中間における球面収差、非点収差、及び歪曲収差の収差図であり、（ｃ）は、実施例５にかかるズームレンズの望遠端における球面収差、非点収差、及び歪曲収差の収差図である。
【発明を実施するための形態】
【００４７】
本発明の実施の形態にかかる撮像装置について、図面を参照して説明する。図１は、本実施の形態の撮像装置１０の正面側斜視図であり、図２は、本実施の形態の撮像装置１０の背面側斜視図である。
【００４８】
デジタルスチルカメラである撮像装置１０は、物体側から順に第１レンズ群〜第５レンズ群からなる屈曲形のズームレンズ(詳細は後述)を収容する鏡胴５０を保持し外装を構成する筐体１２を有している。筐体１２は、図１、２に示すように、前後方向の厚さと、厚さよりも大きい寸法の上下方向の高さと、高さよりも大きい寸法の左右方向の幅を有し、扁平な薄い矩形板状に形成されている。
【００４９】
図１に示すように、筐体１２の前面上部の右側部寄りの箇所には開口１２ａが設けられ、後述するズームレンズの第１レンズ群が、開口１２ａを介して前方に臨んで設けられている。
【００５０】
図２に示すように、筐体１２の背面に、撮像した映像（画像データ）を表示すると共に、撮像や再生にまつわる種々の設定操作などを行うための操作画面あるいはメニュー画面などを表示するディスプレイ３２が設けられている。ディスプレイ３２によって表示部が構成されている。ディスプレイ３２としては、液晶表示装置あるいは有機ＥＬ表示装置など従来公知の表示装置が採用可能である。
【００５１】
筐体１２の上面には、レリーズボタン３４，電源スイッチ３６が設けられている。筐体１２の後面の左側部には、撮像レンズ系のズーム率を望遠側（テレ側）あるいは広角側（ワイド側）に調整するためのズーム操作スイッチ３８と、撮像モード、再生モードの切替など種々の操作、あるいは、ディスプレイ３２に表示されたメニュー画面の選択項目の選択操作、設定項目の設定操作などを行う複数の操作スイッチ４０が設けられている。尚、図１で４４はフラッシュ発光部、４６はメモリカード、４８はバッテリである。
【００５２】
本実施の形態における撮像装置の動作を説明する。図１，２において、電源スイッチ３６がオン操作された状態で、ズーム操作スイッチ３８を操作することで、ズームレンズの第２レンズ群と第３レンズ群が所定の関係で光軸方向に移動して、変倍を実現するようになっている。又、公知の像面ＡＦ機能によって、第４レンズ群が光軸方向に移動して、合焦を実現するようになっている。
【００５３】
更に、レリーズボタン３４を押し下げると、ズームレンズを介して入射した被写体光が、シャッタ機構により規定される所定の露光時間だけ撮像素子の撮像面に入射して画像信号に変換されるので、処理装置にて所定の画像処理を行った後、かかる画像信号に基づく被写体画像がディスプレイ３２に表示されるとともに、メモリカード４６に記憶される。
【００５４】
以下に、図１の撮像装置１０に用いることができるズームレンズの実施例を示すが、これに限定されるものではない。各実施例に使用する記号は下記の通りである。なお、後述のレンズデータ中、長さを表す単位はmmである。
ｆ    ：ズームレンズ全系の焦点距離（ｍｍ）
Ｆｎｏ：Ｆナンバー
Ｒ    ：曲率半径（ｍｍ）
Ｄ    ：軸上面間隔（ｍｍ）
ｎｄ  ：レンズ材料のｄ線に対する屈折率
νｄ  ：レンズ材料のｄ線におけるアッべ数
２Ｙ  ：固体撮像素子の撮像面対角線長（ｍｍ）
【００５５】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００５６】
【数１】
2015111185.tif 000003
【００５７】
なお、これ以降（表のレンズデータを含む）において、１０のべき乗数（たとえば２．５×１０-02）をＥ（たとえば２．５Ｅ−０２）を用いて表すものとする。
【００５８】
（実施例１）
実施例１にかかるズームレンズのレンズデータを表１に示す。また図３（ａ）に、実施例１にかかるズームレンズの広角端の断面図を示し、図３（ｂ）に、実施例１にかかるズームレンズの中間の断面図を示し、図３（ｃ）に、実施例１にかかるズームレンズの望遠端の断面図を示す。更に、図４（ａ）に、実施例１にかかるズームレンズの広角端における球面収差、非点収差、及び歪曲収差の収差図を示し、図４（ｂ）に、実施例１にかかるズームレンズの中間における球面収差、非点収差、及び歪曲収差の収差図を示し、図４（ｃ）に、実施例１にかかるズームレンズの望遠端における球面収差、非点収差、及び歪曲収差の収差図を示す。尚、以降の収差図において、球面収差図では、実線がｄ線、点線がｇ線を表し、非点収差図では、実線がサジタル像面、点線がメリジオナル像面を表すものとする。
【００５９】
［表１］
実施例1 
f = 4.43 - 9.66 - 21.06 [広角、中間、望遠]
Fno = 2.88 - 4.50 - 5.05 [広角、中間、望遠]
ズーム比 = 4.75 
面番号  R(mm)   D(mm)   Nd          νd 
1       ∞      0.500   1.92290     20.9 
2       14.009  2.000 
3       ∞      9.200   1.84670     23.8 
4       ∞      0.150 
5*      13.079  3.300   1.75500     51.2 
6*     -21.870   d1 
7      -69.032  0.500   1.91080     35.3 
8        8.220  0.920  
9      -20.138  0.500   1.77250     49.6 
10       5.998  1.100   1.95910     17.5  
11      16.258   d2  
12(絞り)  ∞    0.700  
13*      9.756  1.590   1.55330     71.7 
14*    -38.930   d3  
15       9.739  0.600   1.84670     23.8 
16       5.806  3.220   1.58910     61.3  
17*    -25.480   d4 
18     -15.473  0.500   1.90370     31.3    
19      15.473  0.492 
20       8.617  2.560   1.49700     81.6 
21     -38.777  1.440 
22*   -123.223  1.805   1.53050     55.7  
23*    -15.577  0.795    
24      ∞      0.500   1.51630     64.2 
25      ∞      0.500  
26      ∞      0.500   1.51630     64.2 
27      ∞      1.700  
28      ∞  
非球面係数  
第5面                      第6面           
K=  0.00000E+00             K=  0.00000E+00 
A4= -0.58264E-04            A4= 0.60232E-04 
A6= -0.34796E-06            A6= 0.63069E-06 
A8= 0.20786E-07             A8= -0.34386E-07    
A10= -0.93429E-09           A10= 0.65845E-09 
A12= 0.16605E-10    
第13面                     第14面          
K=  -0.17400E+01            K=  0.00000E+00 
A4= -0.67140E-04            A4= -0.74672E-04    
A6= 0.14688E-07             A6= -0.40704E-05    
A8= 0.27729E-05             A8= 0.36935E-05 
A10= -0.25702E-06           A10= -0.33239E-06    
A12= 0.84708E-08            A12= 0.10775E-07 
第17面                     第22面          
K=  0.00000E+00             K=  0.00000E+00 
A4= 0.23627E-03             A4= 0.69323E-03 
A6= 0.19936E-06             A6= 0.39763E-06 
A8= -0.42059E-06            A8= -0.96031E-05    
A10= 0.11736E-07            A10= 0.23263E-06 
A12= -0.34513E-08    
第23面    
K=  0.20520E+01    
A4= 0.20312E-02    
A6= 0.62688E-04  
A8= -0.19461E-04    
A10= 0.73154E-06  
A12= -0.93224E-08  
各ポジションの焦点距離、Fナンバー、群間  
f       Fno     画角    2Y      d1      d2      d3      d4
広角    4.43    2.88    82.5    6.43    0.260   10.857  8.178   3.635 
中間    9.66    4.50    43.8    7.72    5.630   5.487   4.856   6.957 
望遠    21.06   5.05    20.9    8.02    9.365   1.752   1.903   9.910 
レンズ群データ  
レンズ群    始面    焦点距離(mm) 
1           1       14.60    
2           7       -4.90 
3           13      14.26 
4           15      15.57 
5           18      -407.85  
【００６０】
実施例１のズームレンズは、光軸に沿って物体側より順に、変倍時に移動しない正の屈折力を有する第１レンズ群Ｇｒ１と、変倍時に光軸に沿って移動する負の屈折力を有する第２レンズ群Ｇｒ２と、絞りＳを含み変倍時に移動しない正の屈折力を有する第３レンズ群Ｇｒ３と、変倍時に光軸に沿って移動する正の屈折力を有する第４レンズ群Ｇｒ４と、変倍時に移動しない第５レンズ群Ｇｒ５とから構成されている。第５レンズ群Ｇｒ５と固体撮像素子の撮像面ＩＭとの間には、光学面に赤外線カットコートを施した赤外線カットフィルタＦと、固体撮像素子の撮像面ＩＭを覆うシールガラスＣＧが配置されている。
【００６１】
第１レンズ群Ｇｒ１は、物体側から順に、負の屈折力を有する第１１レンズＬ１１、光軸を屈曲させるための反射部材であるプリズムＭＬ、正の屈折力を有する第１２レンズＬ１２で構成される。第２レンズ群Ｇｒ２は、物体側から順に、正の屈折力を有する第２１レンズＬ２１と、負の屈折力を有する第２２レンズＬ２２と、正の屈折力を有する第２３レンズＬ２３とで構成される。第２２レンズＬ２２と第２３レンズＬ２３とは互いに接合された接合レンズである。第３レンズ群Ｇｒ３は、物体側から順に、絞りＳと，正の屈折力を有する第３１レンズＬ３１とで構成される。第４レンズ群Ｇｒ４は、物体側から順に、負の屈折力を有する第４１レンズＬ４１と、正の屈折力を有する第４２レンズＬ４２とで構成される。第４１レンズＬ４１と第４２レンズＬ４２とは互いに接合された接合レンズである。第５レンズ群Ｇｒ５は、物体側から順に、負の屈折力を有する第５１レンズＬ５１と、正の屈折力を有する第５２レンズＬ５２と、第５３レンズＬ５３とで構成される。又、合焦に際しては、第４レンズ群Ｇｒ４が光軸方向に移動する。更に、手ぶれ補正に際しては、第５レンズ群Ｇｒ５の第５２レンズＬ５２が、光軸と垂直な方向に変位するようになっている。第５３レンズＬ５３はプラスチックから形成されている。
【００６２】
（実施例２）
実施例２にかかるズームレンズのレンズデータを表２に示す。また図５（ａ）に、実施例２にかかるズームレンズの広角端の断面図を示し、図５（ｂ）に、実施例２にかかるズームレンズの中間の断面図を示し、図５（ｃ）に、実施例２にかかるズームレンズの望遠端の断面図を示す。更に、図６（ａ）に、実施例２にかかるズームレンズの広角端における球面収差、非点収差、及び歪曲収差の収差図を示し、図６（ｂ）に、実施例２にかかるズームレンズの中間における球面収差、非点収差、及び歪曲収差の収差図を示し、図６（ｃ）に、実施例２にかかるズームレンズの望遠端における球面収差、非点収差、及び歪曲収差の収差図を示す。
【００６３】
［表２］
実施例2 
f = 4.43 - 9.65 - 21.05 [広角、中間、望遠]
Fno = 2.88 - 4.46 - 5.17 [広角、中間、望遠]
ズーム比 = 4.75 
面番号  R(mm)   D(mm)   Nd          νd  
1       ∞      0.500   1.92290     20.9 
2       14.549  2.070 
3       ∞      9.300   1.84670     23.8 
4       ∞      0.150  
5*      12.661  3.230   1.75500     51.2  
6*     -22.928   d1 
7      -80.000  0.500   1.91080     35.3 
8       7.532   0.860 
9     -15.754   0.500   1.80420     46.5 
10      6.151   1.070   1.94590     18.0 
11     23.062    d2  
12(絞り)  ∞    0.700  
13*    12.915   1.610   1.55330     71.7 
14*   -20.584    d3 
15     13.184   0.600   1.84670     23.8  
16      7.470   3.160   1.61880     63.9 
17*   -24.290    d4 
18    -11.082   0.500   2.00070     25.5 
19   -142.365   1.000 
20     28.705   3.000   1.49700     81.6 
21    -10.917   1.000 
22*  -100.000   2.500   1.53050     55.7 
23*   -16.658   0.795 
24     ∞       0.500   1.51630     64.2 
25     ∞       0.500  
26     ∞       0.500   1.51630     64.2 
27     ∞       1.700 
28     ∞ 
非球面係数  
第5面                      第6面           
K=  0.00000E+00             K=  0.00000E+00 
A4= -0.71663E-04            A4= 0.48465E-04 
A6= -0.54715E-06            A6= 0.63347E-06 
A8= 0.35783E-07             A8= -0.22432E-07    
A10= -0.12621E-08           A10= 0.31321E-09 
A12= 0.16418E-10  
第13面                     第14面          
K=  0.00000E+00             K=  0.00000E+00 
A4= -0.23792E-03            A4= -0.64795E-04    
A6= -0.34374E-04            A6= -0.32471E-04    
A8= 0.62731E-05             A8= 0.56569E-05 
A10= -0.45509E-06           A10= -0.40111E-06    
A12= 0.10222E-07            A12= 0.87180E-08 
第17面                     第22面          
K=  0.00000E+00             K=  0.00000E+00 
A4= 0.11659E-03             A4= 0.00000E+00 
A6= -0.14486E-06            A6= 0.78403E-04 
A8= -0.13363E-06            A8= -0.10282E-04    
A10= 0.30440E-08            A10= 0.34927E-06 
A12= -0.56837E-08    
第23面    
K=  0.00000E+00  
A4= 0.74639E-03 
A6= 0.15838E-03  
A8= -0.19355E-04  
A10= 0.67645E-06 
A12= -0.86821E-08  
各ポジションの焦点距離、Fナンバー、群間 
f       Fno     画角    2Y      d1      d2      d3      d4
広角    4.43    2.88    82.5    6.42    0.250   10.632  10.149  4.616 
中間    9.65    4.46    43.9    7.74    5.425   5.457   5.899   8.866 
望遠    21.05   5.17    20.9    8.05    8.882   2.000   1.932   12.833 
レンズ群データ  
レンズ群    始面    焦点距離(mm) 
1           1       14.22  
2           7       -4.66    
3           13      14.59  
4           15      17.36    
5           18      38.60 
【００６４】
実施例２のズームレンズは、光軸に沿って物体側より順に、変倍時に移動しない正の屈折力を有する第１レンズ群Ｇｒ１と、変倍時に光軸に沿って移動する負の屈折力を有する第２レンズ群Ｇｒ２と、絞りＳを含み変倍時に移動しない正の屈折力を有する第３レンズ群Ｇｒ３と、変倍時に光軸に沿って移動する正の屈折力を有する第４レンズ群Ｇｒ４と、変倍時に移動しない第５レンズ群Ｇｒ５とから構成されている。第５レンズ群Ｇｒ５と固体撮像素子の撮像面ＩＭとの間には、光学面に赤外線カットコートを施した赤外線カットフィルタＦと、固体撮像素子の撮像面ＩＭを覆うシールガラスＣＧが配置されている。
【００６５】
第１レンズ群Ｇｒ１は、物体側から順に、負の屈折力を有する第１１レンズＬ１１、光軸を屈曲させるための反射部材であるプリズムＭＬ、正の屈折力を有する第１２レンズＬ１２で構成される。第２レンズ群Ｇｒ２は、物体側から順に、正の屈折力を有する第２１レンズＬ２１と、負の屈折力を有する第２２レンズＬ２２と、正の屈折力を有する第２３レンズＬ２３とで構成される。第２２レンズＬ２２と第２３レンズＬ２３とは互いに接合された接合レンズである。第３レンズ群Ｇｒ３は、物体側から順に、絞りＳと，正の屈折力を有する第３１レンズＬ３１とで構成される。第４レンズ群Ｇｒ４は、物体側から順に、負の屈折力を有する第４１レンズＬ４１と、正の屈折力を有する第４２レンズＬ４２とで構成される。第４１レンズＬ４１と第４２レンズＬ４２とは互いに接合された接合レンズである。第５レンズ群Ｇｒ５は、物体側から順に、負の屈折力を有する第５１レンズＬ５１と、正の屈折力を有する第５２レンズＬ５２と、第５３レンズＬ５３とで構成される。又、合焦に際しては、第４レンズ群Ｇｒ４が光軸方向に移動する。更に、手ぶれ補正に際しては、第５レンズ群Ｇｒ５の第５２レンズＬ５２が、光軸と垂直な方向に変位するようになっている。第５３レンズＬ５３はプラスチックから形成されている。
【００６６】
（実施例３）
実施例３にかかるズームレンズのレンズデータを表３に示す。また図７（ａ）に、実施例３にかかるズームレンズの広角端の断面図を示し、図７（ｂ）に、実施例３にかかるズームレンズの中間の断面図を示し、図７（ｃ）に、実施例３にかかるズームレンズの望遠端の断面図を示す。更に、図８（ａ）に、実施例３にかかるズームレンズの広角端における球面収差、非点収差、及び歪曲収差の収差図を示し、図８（ｂ）に、実施例３にかかるズームレンズの中間における球面収差、非点収差、及び歪曲収差の収差図を示し、図８（ｃ）に、実施例３にかかるズームレンズの望遠端における球面収差、非点収差、及び歪曲収差の収差図を示す。
【００６７】
［表３］
実施例3 
f = 4.42 - 9.66 - 20.98 [広角、中間、望遠]
Fno = 2.88 - 4.49 - 5.01 [広角、中間、望遠]
ズーム比 = 4.75  
面番号  R(mm)   D(mm)   Nd          νd 
1       ∞      0.500   2.00270     19.3 
2       12.971  1.620 
3       ∞      8.440   1.92120     24.0 
4       ∞      0.150 
5*      13.429  3.030   1.80140     45.5 
6*     -20.415   d1 
7      -42.194  0.500   1.91080     35.3  
8        7.922  0.870  
9      -13.510  0.500   1.77250     49.6 
10       7.959  1.030   1.95910     17.5 
11      48.639   d2 
12(絞り)  ∞    0.700  
13*     12.908  1.520   1.55330     71.7 
14*    -21.908   d3 
15       9.128  1.000   2.00270     19.3 
16       6.478  0.750    
17       8.249  2.890   1.55330     71.7 
18*    -16.526   d4 
19     -14.842  0.500   1.80520     25.5 
20      13.805  1.150 
21       7.435  2.610   1.49700     81.6 
22     -35.082  0.990 
23*   -123.153  2.990   1.53050     55.7 
24*    -15.705  0.200 
25      ∞      0.500   1.51630     64.2 
26      ∞      0.500 
27      ∞      0.500   1.51630     64.2  
28      ∞      0.500  
29      ∞  
非球面係数 
第5面                      第6面           
K=  0.00000E+00             K=  0.00000E+00 
A4= -0.11500E-03            A4= -0.14454E-05    
A6= 0.12096E-05             A6= 0.25992E-05 
A8= -0.16210E-07            A8= -0.81662E-07    
A10= -0.58929E-09           A10= 0.10763E-08 
A12= 0.16087E-10   
第13面                     第14面          
K=  0.00000E+00             K=  0.00000E+00 
A4= -0.10561E-03            A4= -0.13931E-03    
A6= -0.14735E-04            A6= -0.17328E-04    
A8= 0.16058E-05             A8= 0.20539E-05 
A10= -0.64205E-07           A10= -0.99068E-07    
A12= -0.11568E-08  
第18面                     第23面          
K=  0.00000E+00             K=  0.00000E+00 
A4= 0.31815E-04             A4= -0.35819E-03    
A6= -0.32120E-05            A6= -0.66159E-04    
A8= -0.13771E-06            A8= 0.46784E-05 
A10= -0.56677E-10           A10= -0.24576E-06    
A12= 0.42758E-08 
第24面  
K=  0.00000E+00 
A4= 0.68040E-03 
A6= -0.89741E-04 
A8= 0.77024E-05  
A10= -0.39269E-06 
A12= 0.66471E-08 
各ポジションの焦点距離、Fナンバー、群間 
f       Fno     画角    2Y      d1      d2      d3      d4
広角    4.42    2.88    82.7    6.16    0.250   11.334  9.034   5.177 
中間    9.66    4.49    43.8    7.54    5.957   5.627   5.231   8.980 
望遠    20.98   5.01    21.0    7.81    9.834   1.750   2.013   12.198 
レンズ群データ 
レンズ群    始面    焦点距離(mm) 
1           1       14.70 
2           7       -5.03  
3           13      14.91 
4           15      16.79 
5           18      55.13 
【００６８】
実施例３のズームレンズは、光軸に沿って物体側より順に、変倍時に移動しない正の屈折力を有する第１レンズ群Ｇｒ１と、変倍時に光軸に沿って移動する負の屈折力を有する第２レンズ群Ｇｒ２と、絞りＳを含み変倍時に移動しない正の屈折力を有する第３レンズ群Ｇｒ３と、変倍時に光軸に沿って移動する正の屈折力を有する第４レンズ群Ｇｒ４と、変倍時に移動しない第５レンズ群Ｇｒ５とから構成されている。第５レンズ群Ｇｒ５と固体撮像素子の撮像面ＩＭとの間には、光学面に赤外線カットコートを施した赤外線カットフィルタＦと、固体撮像素子の撮像面ＩＭを覆うシールガラスＣＧが配置されている。
【００６９】
第１レンズ群Ｇｒ１は、物体側から順に、負の屈折力を有する第１１レンズＬ１１、光軸を屈曲させるための反射部材であるプリズムＭＬ、正の屈折力を有する第１２レンズＬ１２で構成される。第２レンズ群Ｇｒ２は、物体側から順に、正の屈折力を有する第２１レンズＬ２１と、負の屈折力を有する第２２レンズＬ２２と、正の屈折力を有する第２３レンズＬ２３とで構成される。第２２レンズＬ２２と第２３レンズＬ２３とは互いに接合された接合レンズである。第３レンズ群Ｇｒ３は、物体側から順に、絞りＳと，正の屈折力を有する第３１レンズＬ３１とで構成される。第４レンズ群Ｇｒ４は、物体側から順に、負の屈折力を有する第４１レンズＬ４１と、正の屈折力を有する第４２レンズＬ４２とで構成される。第５レンズ群Ｇｒ５は、物体側から順に、負の屈折力を有する第５１レンズＬ５１と、正の屈折力を有する第５２レンズＬ５２と、第５３レンズＬ５３とで構成される。又、合焦に際しては、第４レンズ群Ｇｒ４が光軸方向に移動する。更に、手ぶれ補正に際しては、第５レンズ群Ｇｒ５の第５２レンズＬ５２が、光軸と垂直な方向に変位するようになっている。第５３レンズＬ５３はプラスチックから形成されている。
【００７０】
（実施例４）
実施例４にかかるズームレンズのレンズデータを表４に示す。また図９（ａ）に、実施例４にかかるズームレンズの広角端の断面図を示し、図９（ｂ）に、実施例４にかかるズームレンズの中間の断面図を示し、図９（ｃ）に、実施例４にかかるズームレンズの望遠端の断面図を示す。更に、図１０（ａ）に、実施例４にかかるズームレンズの広角端における球面収差、非点収差、及び歪曲収差の収差図を示し、図１０（ｂ）に、実施例４にかかるズームレンズの中間における球面収差、非点収差、及び歪曲収差の収差図を示し、図１０（ｃ）に、実施例４にかかるズームレンズの望遠端における球面収差、非点収差、及び歪曲収差の収差図を示す。
【００７１】
［表４］
実施例4  
f = 4.43 - 9.57 - 21.05 [広角、中間、望遠]
Fno = 2.88 - 4.54 - 5.07 [広角、中間、望遠]
ズーム比 = 4.75 
面番号  R(mm)   D(mm)   Nd          νd 
1       ∞      0.500   1.92290     20.9 
2       14.250  2.060 
3       ∞      9.450   1.84670     23.8 
4       ∞      0.150 
5*      13.358  3.010   1.75500     51.2 
6*     -24.497   d1  
7     -666.266  0.500   1.91080     35.3  
8       7.533   0.940 
9      -28.966  0.500   1.78590     43.9 
10      5.647   1.200   1.95910     17.5 
11     16.850   d2 
12(絞り)  ∞    0.700 
13*     8.977   1.590   1.55330     71.7  
14*   -73.387   d3 
15      9.694   0.600   1.80520     25.5 
16      5.641   2.870   1.59200     67.0 
17*   -33.430   d4 
18    -19.522   0.500   1.90320     29.8 
19     19.522   0.390 
20      8.938   2.580   1.49700     81.6 
21    -13.204   1.740 
22*    -4.620   2.150   1.53050     55.7 
23*    -5.684   1.360 
24      ∞      0.500   1.51630     64.2 
25      ∞      0.500    
26      ∞      0.500   1.51630     64.2 
27      ∞      1.700  
28      ∞ 
非球面係数    
第5面                      第6面           
K=  0.00000E+00             K=  0.00000E+00 
A4= -0.54077E-04            A4= 0.45570E-04 
A6= 0.82184E-06             A6= 0.22870E-05 
A8= -0.21896E-07            A8= -0.11854E-06    
A10= -0.80854E-09           A10= 0.20074E-08 
A12= 0.27979E-10 
第13面                     第14面          
K=  0.00000E+00             K=  0.00000E+00 
A4= -0.60244E-03            A4= -0.40650E-03    
A6= 0.64967E-05             A6= 0.32045E-05 
A8= 0.95187E-06             A8= 0.20251E-05 
A10= -0.12563E-06           A10= -0.21766E-06    
A12= 0.16363E-08            A12= 0.44098E-08 
第17面                     第22面          
K=  0.00000E+00             K=  0.00000E+00 
A4= 0.30489E-03             A4= 0.17725E-02 
A6= 0.11808E-05             A6= 0.47037E-04 
A8= -0.61387E-06            A8= -0.15291E-04    
A10= 0.91058E-08            A10= 0.55243E-06 
A12= -0.41696E-08
第23面  
K=  0.00000E+00  
A4= 0.20600E-02  
A6= 0.98827E-05  
A8= -0.89332E-05  
A10= 0.32795E-06  
A12= -0.31911E-08 
各ポジションの焦点距離、Fナンバー、群間  
f       Fno     画角    2Y      d1      d2      d3      d4
広角    4.43    2.88    82.5    6.43    0.260   11.741  8.295   2.381 
中間    9.57    4.54    44.2    7.44    6.088   5.913   5.027   5.649 
望遠    21.05   5.07    20.9    7.71    10.251  1.750   2.058   8.618 
レンズ群データ  
レンズ群    始面    焦点距離(mm)  
1           1       15.86 
2           7       -5.35 
3           13      14.56  
4           15      16.11  
5           18      -969.79 
【００７２】
実施例４のズームレンズは、光軸に沿って物体側より順に、変倍時に移動しない正の屈折力を有する第１レンズ群Ｇｒ１と、変倍時に光軸に沿って移動する負の屈折力を有する第２レンズ群Ｇｒ２と、絞りＳを含み変倍時に移動しない正の屈折力を有する第３レンズ群Ｇｒ３と、変倍時に光軸に沿って移動する正の屈折力を有する第４レンズ群Ｇｒ４と、変倍時に移動しない第５レンズ群Ｇｒ５とから構成されている。第５レンズ群Ｇｒ５と固体撮像素子の撮像面ＩＭとの間には、光学面に赤外線カットコートを施した赤外線カットフィルタＦと、固体撮像素子の撮像面ＩＭを覆うシールガラスＣＧが配置されている。
【００７３】
第１レンズ群Ｇｒ１は、物体側から順に、負の屈折力を有する第１１レンズＬ１１、光軸を屈曲させるための反射部材であるプリズムＭＬ、正の屈折力を有する第１２レンズＬ１２で構成される。第２レンズ群Ｇｒ２は、物体側から順に、正の屈折力を有する第２１レンズＬ２１と、負の屈折力を有する第２２レンズＬ２２と、正の屈折力を有する第２３レンズＬ２３とで構成される。第２２レンズＬ２２と第２３レンズＬ２３とは互いに接合された接合レンズである。第３レンズ群Ｇｒ３は、物体側から順に、絞りＳと，正の屈折力を有する第３１レンズＬ３１とで構成される。第４レンズ群Ｇｒ４は、物体側から順に、負の屈折力を有する第４１レンズＬ４１と、正の屈折力を有する第４２レンズＬ４２とで構成される。第４１レンズＬ４１と第４２レンズＬ４２とは互いに接合された接合レンズである。第５レンズ群Ｇｒ５は、物体側から順に、負の屈折力を有する第５１レンズＬ５１と、正の屈折力を有する第５２レンズＬ５２と、第５３レンズＬ５３とで構成される。又、合焦に際しては、第４レンズ群Ｇｒ４が光軸方向に移動する。更に、手ぶれ補正に際しては、第５レンズ群Ｇｒ５の第５２レンズＬ５２が、光軸と垂直な方向に変位するようになっている。第５３レンズＬ５３はプラスチックから形成されている。
【００７４】
（実施例５）
実施例５にかかるズームレンズのレンズデータを表５に示す。また図１１（ａ）に、実施例５にかかるズームレンズの広角端の断面図を示し、図１１（ｂ）に、実施例５にかかるズームレンズの中間の断面図を示し、図１１（ｃ）に、実施例５にかかるズームレンズの望遠端の断面図を示す。更に、図１２（ａ）に、実施例５にかかるズームレンズの広角端における球面収差、非点収差、及び歪曲収差の収差図を示し、図１２（ｂ）に、実施例５にかかるズームレンズの中間における球面収差、非点収差、及び歪曲収差の収差図を示し、図１２（ｃ）に、実施例５にかかるズームレンズの望遠端における球面収差、非点収差、及び歪曲収差の収差図を示す。
【００７５】
［表５］
実施例5 
f = 4.43 - 9.66 - 21.03 [広角、中間、望遠]
Fno = 2.88 - 4.37 - 5.07 [広角、中間、望遠]
ズーム比 = 4.75 
面番号  R(mm)   D(mm)   Nd          νd 
1       ∞      0.500   1.92290     20.9  
2       11.606  2.100 
3       ∞      8.790   1.84670     23.8 
4       ∞      0.150 
5*      15.473  3.330   1.76800     49.2 
6*     -19.939   d1 
7     -103.607  0.500   1.91080     35.3 
8        9.973  0.830  
9      -35.680  0.500   1.77250     49.6 
10       6.317  1.080   1.95910     17.5 
11      14.172   d2 
12(絞り) ∞     0.700 
13*     10.258  1.650   1.55330     71.7 
14*    -57.105   d3  
15       9.881  0.600   1.80520     25.5 
16       6.033  3.280   1.58700     59.6  
17*    -28.339   d4 
18     -16.333  0.500   1.84670     23.8 
19      12.160  0.558 
20       8.167  2.790   1.49700     81.6 
21    -200.830  1.400 
22*   -151.308  2.000   1.53050     55.7 
23*    -14.472  0.270 
24      ∞      0.500   1.51630     64.2 
25      ∞      0.500  
26      ∞      0.500   1.51630     64.2 
27      ∞      1.700  
28      ∞ 
非球面係数  
第5面                      第6面           
K=  0.00000E+00             K=  0.00000E+00 
A4= -0.61361E-04            A4= 0.16914E-04 
A6= -0.37026E-06            A6= 0.29492E-06 
A8= 0.19963E-07             A8= -0.64713E-08    
A10= -0.46467E-09           A10= 0.21017E-09 
A12= 0.71592E-11  
第13面                     第14面          
K=  -0.17400E+01            K=  0.00000E+00 
A4= 0.33969E-04             A4= 0.14930E-04 
A6= -0.45322E-05            A6= -0.58739E-05    
A8= 0.17048E-05             A8= 0.20215E-05 
A10= -0.91175E-07           A10= -0.11848E-06    
A12= 0.24209E-08            A12= 0.33732E-08 
第17面                     第22面          
K=  0.00000E+00             K=  0.00000E+00 
A4= 0.20420E-03             A4= -0.21865E-02    
A6= 0.13787E-05             A6= 0.99411E-04 
A8= -0.28296E-06            A8= -0.46531E-05    
A10= 0.63403E-08            A10= -0.40166E-06    
A12= 0.16630E-07 
第23面  
K=  0.20520E+01 
A4= -0.20933E-02 
A6= 0.24729E-03 
A8= -0.16872E-04 
A10= 0.35922E-06 
A12= -0.10545E-08 
各ポジションの焦点距離、Fナンバー、群間  
f       Fno     画角    2Y      d1      d2      d3      d4
広角    4.43    2.88    82.6    6.43    0.250   12.863  9.200   3.919 
中間    9.66    4.37    43.8    7.7     6.993   6.120   5.719   7.400 
望遠    21.03   5.07    20.9    7.99    11.363  1.750   1.915   11.204 
レンズ群データ 
レンズ群    始面    焦点距離(mm) 
1           1       17.26 
2           7       -5.88  
3           13      15.85  
4           15      15.51  
5           18      -111.19 
【００７６】
実施例５のズームレンズは、光軸に沿って物体側より順に、変倍時に移動しない正の屈折力を有する第１レンズ群Ｇｒ１と、変倍時に光軸に沿って移動する負の屈折力を有する第２レンズ群Ｇｒ２と、絞りＳを含み変倍時に移動しない正の屈折力を有する第３レンズ群Ｇｒ３と、変倍時に光軸に沿って移動する正の屈折力を有する第４レンズ群Ｇｒ４と、変倍時に移動しない第５レンズ群Ｇｒ５とから構成されている。第５レンズ群Ｇｒ５と固体撮像素子の撮像面ＩＭとの間には、光学面に赤外線カットコートを施した赤外線カットフィルタＦと、固体撮像素子の撮像面ＩＭを覆うシールガラスＣＧが配置されている。
【００７７】
第１レンズ群Ｇｒ１は、物体側から順に、負の屈折力を有する第１１レンズＬ１１、光軸を屈曲させるための反射部材であるプリズムＭＬ、正の屈折力を有する第１２レンズＬ１２で構成される。第２レンズ群Ｇｒ２は、物体側から順に、正の屈折力を有する第２１レンズＬ２１と、負の屈折力を有する第２２レンズＬ２２と、正の屈折力を有する第２３レンズＬ２３とで構成される。第２２レンズＬ２２と第２３レンズＬ２３とは互いに接合された接合レンズである。第３レンズ群Ｇｒ３は、物体側から順に、絞りＳと，正の屈折力を有する第３１レンズＬ３１とで構成される。第４レンズ群Ｇｒ４は、物体側から順に、負の屈折力を有する第４１レンズＬ４１と、正の屈折力を有する第４２レンズＬ４２とで構成される。第４１レンズＬ４１と第４２レンズＬ４２とは互いに接合された接合レンズである。第５レンズ群Ｇｒ５は、物体側から順に、負の屈折力を有する第５１レンズＬ５１と、正の屈折力を有する第５２レンズＬ５２と、第５３レンズＬ５３とで構成される。又、合焦に際しては、第４レンズ群Ｇｒ４が光軸方向に移動する。更に、手ぶれ補正に際しては、第５レンズ群Ｇｒ５の第５２レンズＬ５２が、光軸と垂直な方向に変位するようになっている。第５３レンズＬ５３はプラスチックから形成されている。
【００７８】
上述した実施例に対応する式と、式を計算するための各数値を、表６，７にまとめて示す。
【００７９】
【表６】
2015111185.tif 000004
【００８０】
【表７】
2015111185.tif 000005
【００８１】
また、本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。
【符号の説明】
【００８２】
１０ 撮像装置
１２ 筐体
１２ａ 開口
３２ ディスプレイ
３４ レリーズボタン
３６ 電源スイッチ
３８ ズーム操作スイッチ
４０ 操作スイッチ
５０ 鏡胴
Ｆ  赤外線カットフィルタ
Ｇｒ１〜Ｇｒ５ レンズ群
ＭＬ プリズム(反射部材)
Ｓ 絞り
ＣＧ シールガラス
ＩＭ  固体撮像素子
【図１】
2015111185.tif 000006
【図２】
2015111185.tif 000007
【図３】
2015111185.tif 000008
【図４】
2015111185.tif 000009
【図５】
2015111185.tif 000010
【図６】
2015111185.tif 000011
【図７】
2015111185.tif 000012
【図８】
2015111185.tif 000013
【図９】
2015111185.tif 000014
【図１０】
2015111185.tif 000015
【図１１】
2015111185.tif 000016
【図１２】
2015111185.tif 000017